(57)【要約】【課題】被制御装置の状態の変化に応じて操作ボタンの機能割り当てを自動的に切り換えることにより、その使い勝手を向上させた電子機器を提供する。【解決手段】携帯電話機４は、他の電話機との間の通話機能のほか、ビデオレコーダ装置１のリモートコントロール機能を有している。そして、携帯電話機４は、ビデオレコーダ装置１に対して、状態が変化し時に通知するように要求し、当該通知をビデオレコーダ装置１から受け取ると、ビデオレコーダ装置１の状態の変化に対応させて、（リモートコントロール用の）操作ボタンの機能割り当てを自動的に切り替える。【選択図】      図６
2006333084.tif 000002
【特許請求の範囲】
【請求項１】
他の機器の遠隔操作用に利用可能な操作ボタンと、
前記他の機器の状態の変化に応じて、前記操作ボタンに割り当てる前記遠隔操作用の機能を切り換える切り換え手段と、
を具備することを特徴とする電子機器。
【請求項２】
前記操作ボタンに割り当て中の前記遠隔操作用の機能を表示する表示手段をさらに具備することを特徴とする請求項１記載の電子機器。
【請求項３】
他の機器との間で無線通信を実行する無線通信手段と、
少なくとも１つ以上の操作ボタンと、
前記無線通信手段を介して前記他の機器の状態を取得する取得手段と、
前記操作ボタンと前記他の機器に対する指示内容との対応を前記状態取得手段により取得され得る状態毎に管理する管理手段と、
いずれかの操作ボタンが操作された場合、前記取得手段により取得された状態時に適用されるものとして前記管理手段により管理された指示内容を示すコマンドを前記無線通信手段を介して前記他の機器に送信する送信手段と、
を具備することを特徴とする電子機器。
【請求項４】
前記取得手段は、状態が変化した時にその旨を通知するように要求するコマンドを前記無線通信手段を介して前記他の機器に送信することにより、前記他の機器の状態を取得することを特徴とする請求項３記載の電子機器。
【請求項５】
表示手段と、
前記操作ボタンと前記他の機器に対する指示内容との現在の対応を前記表示手段に一覧表示させる表示制御手段と
をさらに具備することを特徴とする請求項３記載の電子機器。
【請求項６】
前記表示制御手段は、前記操作ボタンの配置と一致させるように前記一覧表示を行うことを特徴とする請求項５記載の電子機器。
【請求項７】
前記操作ボタンと前記他の機器に対する指示内容との現在の対応を一覧表示させるためのコマンドを前記無線制御手段を介して前記他の機器に送信する表示制御手段をさらに具備することを特徴とする請求項３記載の電子機器。
【請求項８】
前記表示制御手段は、前記管理手段により管理される前記操作ボタンと前記他の機器に対する指示内容との対応を示す一覧データを前記無線制御手段を介して前記他の機器に送信する手段を有することを特徴とする請求項７記載の電子機器。
【請求項９】
他の機器との間で無線通信を実行する無線通信手段と、
前記他の機器からの要求に応じて、状態が変化した時に、その旨を前記無線通信手段を介して前記他の機器に通知する通知手段と、
を具備することを特徴とする電子機器。
【請求項１０】
表示手段と、
前記他の機器からの要求に応じて、前記他の機器に設けられた操作ボタンと自装置に対する指示内容との現在の対応を前記表示手段に一覧表示する表示制御手段と、
をさらに具備することを特徴とする請求項９記載の電子機器。
【発明の詳細な説明】
【技術分野】
【０００１】
この発明は、例えばＤＶＤ（digital versatile disk）レコーダ等を遠隔操作する機能を有する携帯電話機などに適用して好適なリモートコントロール制御技術に関する。
【背景技術】
【０００２】
近年、複数のＡＶ機器などのリモートコントロール装置（以下、リモコン）として利用できる汎用のリモコン（いわゆる学習リモコンなど）が広く利用されている。また、最近では、例えば赤外線送受信機能をもつ携帯電話機を、リモコンとして使用することも行われている。これらのリモコンは、専用リモコンとは異なり、必要なボタンが予め用意されているわけではないので、ボタンに機能の割り当てを行う必要がある（例えば特許文献１等参照）。
【特許文献１】特開２００１−９２５８３号公報
【発明の開示】
【発明が解決しようとする課題】
【０００３】
ところで、ＤＶＤレコーダなどの最近のＡＶ機器は多機能化しており、専用リモコンのボタン数は非常に多くなってきている。したがって、携帯電話機などをリモコンとして利用する際には、割り当てるボタンの数が足りないという問題が生じている。
【０００４】
また、従来の方法は、リモコン側でのスイッチやモード切替などの操作により、必要に応じてボタンの割り当て状態を切り替えるというものであるが、この方法は、ユーザ自らが切り替え操作を行う必要があるので、結果として、専用リモコンを使用する場合と比べて操作が煩雑になり、利便性が悪かった。
【０００５】
さらに、あるボタンを押したときに、自動的にその次に必要となるボタン割り当て状態に移行する方法も考えられるが、この方法の場合、（１）その状態に切り替わる操作方法が複数ある場合に対応が困難である、（２）専用リモコンを含む複数のリモコンを併用する場合に対応できない、という問題がある。
【０００６】
この発明は、このような事情を考慮してなされたものであり、被制御装置の状態の変化に応じて操作ボタンの機能割り当てを自動的に切り換えることにより、その使い勝手を向上させた電子機器を提供することを目的とする。
【課題を解決するための手段】
【０００７】
前述した目的を達成するために、この発明の電子機器は、他の機器の遠隔操作用に利用可能な操作ボタンと、前記他の機器の状態の変化に応じて、前記操作ボタンに割り当てる前記遠隔操作用の機能を切り換える切り換え手段とを具備することを特徴とする。
【０００８】
また、この発明の電子機器は、他の機器との間で無線通信を実行する無線通信手段と、少なくとも１つ以上の操作ボタンと、前記無線通信手段を介して前記他の機器の状態を取得する取得手段と、前記操作ボタンと前記他の機器に対する指示内容との対応を前記状態取得手段により取得され得る状態毎に管理する管理手段と、いずれかの操作ボタンが操作された場合、前記取得手段により取得された状態時に適用されるものとして前記管理手段により管理された指示内容を示すコマンドを前記無線通信手段を介して前記他の機器に送信する送信手段とを具備することを特徴とする。
【発明の効果】
【０００９】
この発明によれば、被制御装置の状態の変化に応じて操作ボタンの機能割り当てを自動的に切り換えることにより、その使い勝手を向上させた電子機器を提供できる。
【発明を実施するための最良の形態】
【００１０】
以下、図面を参照してこの発明の実施形態について説明する。図１は、本実施形態に係るリモートコントロールシステムのシステム構成図である。図中、１はビデオレコーダ装置、２はテレビモニタ、３はBluetoothアダプタ、４は携帯電話機である。
【００１１】
ビデオレコーダ装置１は、（１）テレビ放送をハードディスク等に録画する、（２）録画したタイトルを一覧表示する、（３）一覧表示した中から利用者が選択したタイトルを再生する、といった機能を備えるＡＶ機器である。
【００１２】
テレビモニタ２は、ビデオレコーダ装置１の映像および音声を出力するための出力装置である。Bluetoothアダプタ３は、ビデオレコーダ装置１に着脱自在に収納され、当該ビデオレコーダ装置１と他の機器との間のデータ授受をBluetooth通信によって仲介する通信モジュールである。また、携帯電話機４は、他の電話機との間の通話機能のほか、ここでは、Bluetooth通信機能を内蔵しているものと想定する。
【００１３】
本実施形態のリモートコントロールシステムでは、携帯電話４をビデオレコーダ装置１のリモコンとして使用する。そして、この携帯電話４とビデオレコーダ装置１との間の通信は、Bluetoothを用いて行われる。なお、Bluetoothは、最近、携帯電話への搭載が進んでおり、双方向通信が可能であるため、このようなケースで利用する通信手段としては最適であるが、特にBluetoothに限定する必要は無く、例えば無線ＬＡＮや送受信可能な赤外線装置を用いても構わない。
【００１４】
図２は、携帯電話機４の概略構成図である。図示のように、携帯電話機４は、制御部１０、キー入力部１１、音声入力部１２、記憶部１３、無線通信部１４、表示部１５および音声出力部１６を有している。
【００１５】
制御部１０は、携帯電話機４全体の制御を司る。キー入力部１１は、ユーザのキー操作を入力する。音声入力部１２は、ユーザの音声を入力するマイクロフォンである。記憶部１３は、制御部１０が使用する各種データ等を格納するメモリ装置である。無線通信部１４は、通話およびデータ授受のための無線通信を実行する通信モジュールである。表示部１５は、各種情報を表示する例えばＬＣＤ等のディスプレイ装置である。音声出力部１６は、通話相手の音声等を出力するスピーカである。
【００１６】
また、図３には、この携帯電話機４のボタン配列が示されている。なお、ここでは、図３に示すボタンのうち、［通話］および［電源］はリモコンとしては使用せず、それ以外のボタンをリモコンとして使用するものとする。
【００１７】
以下、本実施形態のリモートコントロールシステムにおいて、携帯電話機４を用いてビデオレコーダ装置１を遠隔操作する例を説明する。
【００１８】
いま、ビデオレコーダ装置１は、テレビモニタ３にテレビ放送を表示している状態であるものとする。このとき、携帯電話機４は、図４における“放送表示状態”の欄で示されるボタン割り当て状態になっており、例えば[５]を押すと、“５チャンネル”のリモコンコードがビデオレコーダ装置１に送られて、５チャンネルの放送が表示される。
【００１９】
この状態において、ビデオレコーダ装置１が録画済み一覧を表示する状態に切り替わる場合を考える。この切り替えの操作は、携帯電話機４の[Ｂ]を押すか、または、[Ａ]を押してテレビモニタ３に図５のような画面を表示させ、［↑]および[↓]でメニュー項目の中から“録画済み一覧”を選択し、[決定]を押すことによっても行える。このように、ある１つの状態に辿り着くために、リモコンのボタン１つで行う方法と、画面上でメニューを表示して選択する方法の２通りを用意することは、機能が複雑化しているビデオレコーダ装置においては、ユーザの利便性の向上を図るためによく行われている。また、携帯電話機４以外のリモコン（例えばビデオレコーダ装置１付属の専用リモコン）で操作することによっても可能である。
【００２０】
いずれの操作による場合でも、ビデオレコーダ装置１が録画済み一覧を表示する状態に切り替わると、携帯電話機４は、図４の“一覧表示状態”の欄で示されるボタン割り当て状態に自動的に切り替わる。ここで、先程と同じように[５]を押すと、今度は“再生”のリモコンコードがビデオレコーダ装置１に送られて、選択されている録画済みタイトルの再生が開始されることになる。
【００２１】
次に、図６を参照して、本実施形態のリモートコントロールシステムにおける携帯電話機４とビデオレコーダ装置１との間の通信の流れについて説明する。なお、ここでは、通信方法として、Bluetoothのプロファイルの１つであり、ＡＶ機器を制御するためのＡＶＲＣＰ（A/V Remote Control Profile）を使用している。このプロファイルは、ＡＶ機器をリモートコントロールするための通信手順について定めたものであり、これに基づいた通信を行うことにより、同じＡＶＲＣＰを使用する機器間において、ある程度の互換性が保たれる。
【００２２】
ＡＶＲＣＰの接続が完了すると（１）、携帯電話機４から画面状態通知(notify)コマンド(AVRCPにおけるvendor dependentコマンドとして定義)が送信される（２）。これは、画面状態が切り替わったときに通知するように要求するためのコマンドである。
【００２３】
ビデオレコーダ装置１は、これを受信すると、まず、画面状態通知(interim)を送信する（３）。これは、notifyコマンドを受け入れることを示す。また、ビデオレコーダ装置１は、これに続けて、画面状態通知(changed)を、“放送表示状態”を示すパラメータを付けて送信する（４）。
【００２４】
携帯電話機４は、これを受信すると、ビデオレコーダ装置１の現在の状態が放送表示状態であることを認識し、放送表示状態用のボタン割り当てを設定する（５）。そして、携帯電話機４は、再び画面状態通知(notify)コマンドを送信し（６）、ビデオレコーダ装置１は、これを受信すると、画面状態通知(interim)を送信する（７）。このように、携帯電話機４は、画面状態通知(notify)コマンドに対して画面状態通知(changed)が返信されると、再度画面状態通知(notify)コマンドを送信するという動作を常に行う。
【００２５】
この状態において、携帯電話機４でボタン[５]が押下されると（８）、“５チャンネル”を示すコマンド(AVRCPにおけるpass through コマンドとして定義)が送信され、ビデオレコーダ装置１は、これを受信すると、５チャンネルの放送表示に切り替えて、pass throughコマンドに対する応答(accepted)を送信する（１０）。
【００２６】
ここで、前述したような操作によって、ビデオレコーダ装置１が録画済み一覧を表示する状態に切り替わったとする（１１）。このとき、ビデオレコーダ装置１は、画面状態通知(changed)を、“一覧表示状態”を示すパラメータを付けて送信する（１２）。携帯電話機４は、これを受信すると、ビデオレコーダ装置１の状態が録画済み一覧表示状態に切り替わったことを認識して、一覧表示状態用のボタン割り当てに切り替わる（１３）。そして、ここでも、再度画面状態通知(notify)コマンドの送信（１４）、画面状態通知(interim)の送信が繰り返される（１５）。
【００２７】
この状態において、先程と同じように、携帯電話機４でボタン[５]が押下されると（１６）、今度は“再生”を示すコマンド(AVRCPにおけるpass through コマンドとして定義)が送信される（１７）。そして、ビデオレコーダ装置１は、これを受信すると、選択されているタイトルの再生を開始し、pass through コマンドに対する応答(accepted)を送信する（１８）。
【００２８】
以上のような通信により、ビデオレコーダ装置１の状態が切り替わったときに、携帯電話機４のボタン割り当てが自動的に切り替わる機能が実現される。
【００２９】
ところで、前述した実施形態において、携帯電話機４の現在のボタン割り当て状態を、図７のような形状で携帯電話機４の表示部１５、もしくはビデオレコーダ装置１が出力する画面の下部分などに表示するようにしてもよい。
【００３０】
また、携帯電話機４におけるボタンの割り当ては、ユーザが独自に設定可能にしてもよく、また、このような機能を有するものも多い。その場合、携帯電話機４がビデオレコーダ装置１に接続完了直後に、図８に示す通信を行って、その設定内容を通知する。このときの通信の流れは以下の通りである。
【００３１】
携帯電話機４は、ボタン割り当て通知(control)コマンド(AVRCPにおけるvendor dependent コマンドとして定義)を、各状態のボタン割り当て一覧表をパラメータとして付けて送信し（１）、ビデオレコーダ装置１は、これを受信すると、ボタン割り当て通知(accepted)を送信する（２）。
【００３２】
これにより、ビデオレコーダ装置１で携帯電話機４の現在のボタン割り当て状態を表示する場合、ユーザ独自の設定が反映されることになる。
【００３３】
以上のように、本実施形態のリモートコントロールシステムによれば、ビデオレコーダ装置１の状態が切り替わったときに、携帯電話機４のボタン割り当てが自動的に切り替わるので、従来のように利用者が切り替え操作を行う場合に比べて、手間が省け利便性が向上する。
【００３４】
また、現在のボタン割り当て状態をビデオレコーダ装置１の画面、あるいは携帯電話機４の液晶パネルに表示することにより、操作をし易くすることができる。
【００３５】
さらに、携帯電話機４がボタン割り当てを利用者が独自に設定可能である場合、その設定内容をビデオレコーダ装置１に通知することにより、実際のボタン割り当て状態をビデオレコーダ装置１の表示に反映させることができる。
【００３６】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００３７】
【図１】本発明の実施形態に係るリモートコントロールシステムのシステム構成図
【図２】同実施形態の携帯電話機の概略構成図
【図３】同実施形態の携帯電話機のボタン配列を示す図
【図４】同実施形態の携帯電話機が保持するリモコンコード割り当て表を示す図
【図５】同実施形態のテレビモニタに表示されるビデオレコーダ装置のメニュー画面を示す図
【図６】同実施形態のリモートコントロールシステムの通信シーケンスを示す図
【図７】同実施形態の携帯電話機が表示する操作ガイドを示す図
【図８】同実施形態のリモートコントロールシステムのボタン割り当て通知時の通信シーケンスを示す図
【符号の説明】
【００３８】
１…ビデオレコーダ装置、２…テレビモニタ、３…Bluetoothアダプタ、４…携帯電話機、１０…制御部、１１…キー入力部、１２…音声入力部、１３…記憶部、１４…無線通信部、１５…表示部、１６…音声出力部。
【図１】
2006333084.tif 000003
【図２】
2006333084.tif 000004
【図３】
2006333084.tif 000005
【図４】
2006333084.tif 000006
【図５】
2006333084.tif 000007
【図６】
2006333084.tif 000008
【図７】
2006333084.tif 000009
【図８】
2006333084.tif 000010